(57)【要約】【課題】同一ボタン位置に異なるボタン画像を表示し、押ボタン実体の操作性を向上することのできるマルチモード表示機能付押ボタン構造を提供する。【解決手段】複数のボタン位置１０１を有する押ボタン層１０と、前記押ボタン層１０の下方に多層状に配置された複数の指示ユニット２０とを含み、各指示ユニット２０は、発光素子２０１と、該発光素子２０１に組み合わさる導光素子２０２とを有し、前記導光素子２０２の一方の表面に模様層２０３が設けられ、前記模様層２０３は、前記ボタン位置１０１に対応する複数の模様を有する。【選択図】図１
0003143541.tif 000002
【実用新案登録請求の範囲】
【請求項１】
複数のボタン位置を有する押ボタン層と、
前記押ボタン層の下方に多層状に配置された複数の指示ユニットとを含み、
前記各指示ユニットは、発光素子と、該発光素子と組み合わさる導光素子とを有し、前記導光素子の一方の表面に模様層が設けられ、
前記模様層は、前記ボタン位置に対応する複数の模様を有することを特徴とするマルチモード表示機能付押ボタン構造。
【請求項２】
前記押ボタン層と前記指示ユニットとの間に、さらに、偏光板、１／４波長シートまたは偏光板と１／４波長シートの組み合わせを備えることを特徴とする請求項１に記載のマルチモード表示機能付押ボタン構造。
【請求項３】
隣接する前記指示ユニットの間にラスタユニットがさらに設けられたことを特徴とする請求項１に記載のマルチモード表示機能付押ボタン構造。
【請求項４】
前記模様層は透光性のインクであることを特徴とする請求項１に記載のマルチモード表示機能付押ボタン構造。
【請求項５】
前記発光素子は、発光ダイオードまたはＥＬ素子であることを特徴とする請求項１に記載のマルチモード表示機能付押ボタン構造。
【請求項６】
第１領域ボタン位置及び第２領域ボタン位置にそれぞれ区画される複数のボタン位置を有する押ボタン層と、
発光素子及び該発光素子に組み合わさる導光素子を有し、前記導光素子の一方の表面に模様層が設けられ、前記模様層は、これらのボタン位置に対応する複数の模様を有し、前記押ボタン層の下方に配置された第１の指示ユニットと、
第１発光素子及び該第１発光素子に組み合わさる第１導光素子を有し、前記第１導光素子の一方の表面に第１模様層が設けられ、前記第１模様層は、前記第１領域ボタン位置に対応する複数の模様を有する第１指示モジュール、及び、第２発光素子及び該第２発光素子に組み合わさる第２導光素子を有し、前記第２導光素子の一方の表面に第２模様層が設けられ、前記第２模様層は、前記第２領域ボタン位置に対応する複数の模様を有する第２指示モジュールを含み、前記第１の指示ユニットの下方に配置された第２の指示ユニットと、含むことを特徴とするマルチモード表示機能付押ボタン構造。
【請求項７】
前記押ボタン層と前記指示ユニットとの間に、さらに、偏光板、１／４波長シートまたは偏光板と１／４波長シートの組み合わせを備えることを特徴とする請求項６に記載のマルチモード表示機能付押ボタン構造。
【請求項８】
前記第１指示ユニットと前記第２指示ユニットとの間にラスタユニットがさらに設けられたことを特徴とする請求項６に記載のマルチモード表示機能付押ボタン構造。
【請求項９】
前記模様層、前記第１模様層、及び前記第２模様層は、いずれも、透光性のインクまたは導光構造であることを特徴とする請求項６に記載のマルチモード表示機能付押ボタン構造。
【請求項１０】
前記発光素子、前記第１発光素子、及び前記第２発光素子は、いずれも、発光ダイオードまたはＥＬ素子であることを特徴とする請求項６に記載のマルチモード表示機能付押ボタン構造。
【考案の詳細な説明】
【技術分野】
【０００１】
本考案は、マルチモード表示機能付押ボタン構造に係り、特に、同一ボタン位置に異なるボタン画像を表示する押ボタン構造に関する。
【背景技術】
【０００２】
現代社会では科学技術の進歩に伴い、電子情報製品の発展が日々速くなっている。しかしながら、唯一変化のないことは、ユーザが所定の関連するコマンドを入力しなければ、電子製品は、入力されたコマンドに従って演算、対比などの動作を行いかつユーザが得ようとする様々なメッセージ及び情報を出力できないことである。
現在、情報流通の時代であり、無線通信は、人々にとても便利なライフスタイルをもたらしている。例えば、携帯電話、ＰＤＡ、ノートブック、或いはＭＰ３プレーヤ等の装置は、いずれも、日常生活に使用されている。ユーザは、それらの装置における入力ツールとしてキーボードを用い、電子装置を制御し様々な最新情報を得るのが最も普通に行われている。
【０００３】
しかしながら、近年、電子装置の体積が微小化するに伴い、軽薄外形の製品を構成するが、押ボタンのサイズ、数量も段々と制限されている。ＭＰ３プレーヤを例とすると、基本的なＭＰ３の機能はシンプルであり、押ボタンは、基本的に従来のウォークマン（登録商標）の設計を引用している。具体的には、再生／一時停止、早送り、巻き戻し、及び音量調節のボタンがそれぞれ独立して設けられている。
【０００４】
しかしながら、個人消費者に対するマルチメディア産業の発展に伴い、ＦＭラジオ、録音、電子ブック、及びピクチャ閲覧など多くの付加機能がプレーヤの設計に持ち込まれている。このため、押ボタンが“足りない”という問題が出始め、ボタン毎に二つの機能（長押し／短押し）を与える手法が多く適用されている。
さらには、５位方向キーというものがあるが、ボタン数を減らす目的は達成できるが、全体の便利性について大きく向上するものではない。
【０００５】
そのため、本考案者は、前記のような従来のキーボード構造が実際に使用する時にもたらす欠点に鑑みて、長年この領域で積み立てた経験により、専念な観察かつ研究をし、さらに学術理論の運用に合せ、合理な設計且つ前記の問題点を有効に改良できたマルチモード表示可能なキーボード構造を提案した。
【考案の開示】
【考案が解決しようとする課題】
【０００６】
本考案の主な目的は、同一ボタン位置に異なるボタン画像を表示し、押ボタン実体の操作性を向上することのできるマルチモード表示機能付押ボタン構造を提供することにある。
【０００７】
本考案の次の目的は、押ボタンの置く角度に応じて押ボタンに表示される模様方向を調整し、ユーザがボタン機能を識別する識別度を向上することのできるマルチモード表示機能付押ボタン構造を提供することにある。
【課題を解決するための手段】
【０００８】
前記目的を達成するため、本考案は、複数のボタン位置を有する押ボタン層と、前記押ボタン層の下方に多層状に配置された複数の指示ユニットとを含み、前記各指示ユニットは、発光素子と、該発光素子と組み合わさる導光素子とを有し、前記導光素子の一方の表面に模様層が設けられ、前記模様層は、前記ボタン位置に対応する複数の模様を有することを特徴とするマルチモード表示機能付押ボタン構造を提供した。
【０００９】
また、前記目的を達成するため、本考案は、第１領域ボタン位置及び第２領域ボタン位置にそれぞれ区画される複数のボタン位置を有する押ボタン層と、発光素子及び該発光素子に組み合わさる導光素子を有し、前記導光素子の一方の表面に模様層が設けられ、前記模様層は、これらのボタン位置に対応する複数の模様を有し、前記押ボタン層の下方に配置された第１の指示ユニットと、第１発光素子及び該第１発光素子に組み合わさる第１導光素子を有し、前記第１導光素子の一方の表面に第１模様層が設けられ、前記第１模様層は、前記第１領域ボタン位置に対応する複数の模様を有する第１指示モジュール、及び、第２発光素子及び該第２発光素子に組み合わさる第２導光素子を有し、前記第２導光素子の一方の表面に第２模様層が設けられ、前記第２模様層は、前記第２領域ボタン位置に対応する複数の模様を有する第２指示モジュールを含み、前記第１の指示ユニットの下方に配置された第２の指示ユニットと、含むことを特徴とするマルチモード表示機能付押ボタン構造を提供した。
【００１０】
上記のマルチモード表示機能付押ボタン構造により、多層指示構造で同一ボタン位置に異なる押ボタン画像を表示し、限られている数の押ボタンが制御可能な押ボタン機能を増加する目的を達成することができる。
【００１１】
本考案の特徴および技術内容をより詳しく了解するために、以下に本考案に関わる詳細な説明及び添付図面を参照すれば、深くかつ具体的に理解できると確信しているが、それらの添付図面が参考及び説明のみに使われ、本考案の主張範囲を狭義的に局限するものではないことは言うまでもないことである。
【考案を実施するための最良の形態】
【００１２】
図１に示すように、本考案は、同一ボタン位置に異なる画像を表示し、ユーザに異なる押ボタン機能を与えるマルチモード表示機能付押ボタン構造１であって、その構造は、複数のボタン位置１０１を有する押ボタン層１０と、該押ボタン層１０の下方に多層状に配置された複数の指示ユニット２０とを含む。
【００１３】
図１に示すマルチモード表示機能付押ボタン構造１は、２つの指示ユニット２０を備えるが、これは一例であって、指示ユニット２０の数は、本考案を限定するものではない。本実施形態において、該二つの指示ユニット２０は類似した構造であり、例えば、二つの指示ユニット２０は、ともに、発光素子２０１と、該発光素子２０１と組み合わさる導光素子２０２とを有し、該導光素子２０２の一方の表面に模様層２０３が設けられる。さらに、該模様層２０３には、これらのボタン位置１０１に対応する複数の指示模様が成形されている。前記二つの指示ユニット２０の違いは、図３（Ａ）及び図３（Ｂ）に示すように、それらに形成された模様が異なる点である。
【００１４】
前記押ボタン層１０は、実体押ボタンであり、その上に複数のボタン位置１０１を有し、ユーザが入力するための押しボタン機能を与えるものである。また、その下方に設けられた指示ユニット２０は、ボタン位置１０１毎に、対応する押しボタン機能の指示画像を表示する。指示ユニット２０毎に設けられた発光素子２０１（例えば、白光ＬＥＤ等）は、前記導光素子２０２の側辺に設置され、該導光素子２０２は、発光素子２０１から発する光を該押ボタン層１０の方向へ発射する。
【００１５】
前記導光素子２０２は、輝度や均一度を向上させると共に、拡散率を増加させ、マルチモード表示機能付押ボタン構造１の全体輝度及び視角の品質を向上する。また、該導光素子２０２の一方の表面には模様層２０３が設けられ、発光素子２０１から発する光が、該導光素子２０２の導光、散光の機能によって、さらに、模様層２０３を介して押しボタン機能に対応する画像、符号または字母などを形成するようになされている。
【００１６】
そのため、使用に際しては、ユーザは、スイッチの設計により、オンしたい指示ユニット２０を選び、その押ボタン層１０に機能ボタンを表示させる。
さらに、図３Ａ、図３Ｂに加え、図１を用いて説明する。ユーザがスイッチでダイヤル機能を選択すると、この時、上層に位置される指示ユニット２０の発光素子２０１がオンされて光を発し、該光が導光素子２０２の導光、屈折、反射などの光学作用を経て、さらに、模様層２０３を介して押しボタン毎の機能が表示される。
【００１７】
図３Ａに示すように、該上層の指示ユニット２０の模様層２０３上には数字模様２０３１を有し、各数字模様２０３１が押ボタン層１０の各ボタン位置１０１に対応する。そして、ユーザが、それらの数字模様２０３１の指示によってダイヤルする機能が実現される。
【００１８】
同様に、ユーザが音楽機能をオンすると、下層に位置される指示ユニット２０の発光素子２０１がオンされ光を発し、該光が該導光素子２０２の導光、屈折、及び反射などの光学作用を経て、さらに、模様層２０３を介して押しボタン毎の機能が表示される。
【００１９】
図３Ｂに示すように、該下層の指示ユニット２０の模様層２０３上には音楽再生模様２０３１’を有し、各音楽再生模様２０３１’が該押ボタン層１０の各ボタン位置１０１に対応する。そして、ユーザがこれらの音楽再生模様２０３１’の指示によって該電子装置が制御され音楽再生の機能が実現される。
また、異なる指示ユニット２０の模様層２０３は、異なる色のカラーインクで形成するのが好ましく、そうすれば異なる色の模様で異なる属性のボタン機能を利用できる。
【００２０】
一方、押ボタン層１０と指示ユニット２０との間には、さらに偏光ユニット４０１を有している。該偏光ユニット４０１は、偏光板、１／４波長シート、または偏光板と１／４波長シートの組合であればよい。該偏光ユニット４０１の役割は、押ボタン層１０の前方の光、例えば、日ざしなどをフィルティングし、眩光を防ぐ機能を提供し、これらの模様のコントラストを向上させる。
【００２１】
また、隣接する二つの指示ユニット２０の間には、さらにラスタユニット５０１が設けられる。該ラスタユニット５０１は、ラスタシートまたは偏光板であり、その役割は上下の画像を断絶し、下層模様が表示される時に上層指示ユニット２０の構造またはその模様層２０３の色に影響することを回避する。
また、光源がオンする場合、該ラスタユニット５０１は、光線を遮断し、外側から内部の模様を見られないようにする。尚、下層の指示模様の表示に影響を与えないように、上層の模様層２０３が透光性を有するのが好ましい。
【００２２】
図２に、本考案に係る第２の実施形態を示す。図２に示すように、第１の実施形態との違いは、下層の指示ユニット２０’の発光素子２０１’が、自己発光ユニットであるＥＬ素子（electro luminescence）であり、そのため、発光素子２０１’は、模様層２０３の下方に直接設けられる点である。
発光素子２０１’がオンされ光を発すると、直接的に該模様層２０３を介してボタン位置１０１毎に異なる押しボタン機能を表示できる。ここで注意すべきは、これらの指示ユニット２０の数は、上記の実施例に制限されることではなく、実際に適用される機能に応じて調整できる。
【００２３】
一方、本考案は、他の実施態様のマルチモード表示機能付押ボタン構造１を提案し、複数の指示モジュールで異なる領域のボタン位置に対応し、該押ボタン層１０のうちの異なる領域のボタン位置１０１に、異なる指示模様を表示させる。
【００２４】
図４、図５を用いて、本考案に係る第３の実施形態を説明する。図４に示す構造において、図５Ａ、図５Ｂに示す第１領域ボタン位置１０１Ａ及び第２領域ボタン位置１０１Ｂにそれぞれ区画される複数のボタン位置１０１を有する押ボタン層１０と、発光素子２０１及び該発光素子２０１に組み合わさる導光素子２０２を有する。導光素子２０２の一方の表面に模様層２０３が設けられ、該模様層２０３は、各ボタン位置に対応する複数の模様を有している。
尚、押ボタン層１０の下方には、第１の指示ユニット２０Ａを含むが、該第１の指示ユニット２０Ａは、第１の実施形態において説明した指示ユニット２０の特徴と同じであるため、その説明を省略する。
【００２５】
本実施形態の第１の実施形態との違いは、第１の指示ユニット２０Ａの下方に配置された第２の指示ユニット３０が、第１指示モジュール３０Ａ及び第２指示モジュール３０Ｂを含むことである。
以下に、前記両モジュールについて説明する。第１指示モジュール３０Ａは、第１発光素子３０１Ａ及び該第１発光素子３０１Ａに組み合わさる第１導光素子３０２Ａを有する。第１導光素子３０２Ａの一方の表面には第１模様層３０３Ａが設けられ、該第１模様層３０３Ａは、該第１領域ボタン位置１０１Ａに対応する複数の模様を有する。
【００２６】
第２指示モジュール３０Ｂは、第２発光素子３０１Ｂ及び該第２発光素子３０１Ｂに組み合わさる第２導光素子３０２Ｂを有する。第２導光素子３０２Ｂの一方の表面には第２模様層３０３Ｂが設けられ、該第２模様層３０３Ｂは、該第２領域ボタン位置１０１Ｂに対応する複数の模様を有する。
【００２７】
ユーザが第１の指示ユニット２０Ａをオンすると、該マルチモード表示機能付押ボタン構造１は、図３Ａに示された数字模様２０３１を表示し、各数字模様２０３１は、該押ボタン層１０の各ボタン位置１０１に対応し、ユーザがこれらの数字模様２０３１の指示によってダイヤルする機能を実現できる。
また、ユーザが第２の指示ユニット３０の第１指示モジュール３０Ａをオンすると、該第１指示モジュール３０Ａは、図５Ａに示す第１領域ボタン位置１０１Ａ（上部二行）にマルチメディア制御模様３０３１Ａを表示し、図５（Ｂ）に示す第２領域ボタン位置１０１Ｂ（下部二行）にあらゆる模様を表示しない。
【００２８】
同様に、ユーザが第２の指示ユニット３０の第２指示モジュール３０Ｂをオンすると、該第２指示モジュール３０Ｂは、その対応する第２領域ボタン位置１０１Ｂに写真制御模様３０３１Ｂを表示し、ユーザがこれらの写真制御模様３０３１Ｂに従い電子装置を制御し撮影する機能を実現できる。
よって、押ボタン層１０は、キーボード装置がより多いボタン機能を有するように、押しボタンをより効率的に配置することができる。
尚、本実施形態では、他の部材、例えば、ラスタユニット５０１等は、何れも第１の実施形態と同じであるため、その説明を省略する。
【００２９】
また、本考案に係るマルチモード表示機能付押ボタン構造１は、さらに、例えば、液体スイッチなどの装置を搭載して多機能の設定を行うことができる。
図６に示す携帯電話２は、表示装置２１及び本考案のマルチモード表示機能付押ボタン構造１を有する。前記マルチモード表示機能付押ボタン構造１は、直立型押ボタン模様（即ち、第１の実施形態における上部の指示ユニット２０）及び横型押ボタン模様（即ち、第１の実施形態における下部の指示ユニット２０）が設けられている。
【００３０】
携帯電話を直立させた時には、液体表示されるスイッチは、前記上部の指示ユニット２０をオンさせ、これらのボタン位置１０１に直立型押ボタン模様を表示する。一方、該携帯電話２を横型にした時には、液体表示されるスイッチは、前記下部の指示ユニット２０をオンさせ、これらのボタン位置１０１に横型押ボタン模様を表示する。
これにより、ユーザは各ボタン位置１０１における機能の意義をより明確に識別できるようになる。
【００３１】
尚、以上説明した応用例は本考案に係るマルチモード表示機構付押ボタンの一形態に過ぎず、これに本考案の応用が限定されるものではない。また、本考案は、携帯電話などの装置に限定されるものではなく、他の実体ボタンを用いる電子装置に広く適用することができる。
【００３２】
以上のように、本考案は、以下の利点を有する。
１、本考案のマルチモード表示機能付押ボタン構造１によって、電子装置の押ボタンが、より多い機能選択を持ち、かつユーザの使用ニーズに応じて異なる押ボタン機能を表示し、ユーザが押ボタン毎の機能意義を明確に識別できる。
２、本考案は、多層指示ユニット２０の設置によって、マルチモード表示機能付押ボタン構造１は、同一ボタン位置に異なる機能の指示符号を表示でき、押ボタンがより明白及びシンプルになる。
３、本考案は、多層指示ユニット２０の設置によって、押ボタン模様の方向調整の効果を達成し、電子装置の視角がより人性化かつ操作し易くなる。
【００３３】
以上説明した実施形態は、単に本考案の好ましい具体例に過ぎず、本考案の実用新案登録請求の範囲を局限するものではない。また、いずれの当該分野における通常の知識を有する専門家は、本考案の分野の中で、適当に変更や修飾などを実施できるが、それらの実施が本考案の主張範囲内に納入されるべきことは言うまでもないことである。
【図面の簡単な説明】
【００３４】
【図１】図１は、本考案のマルチモード表示機能付押ボタン構造を示す分解図である。
【図２】図２は、本考案のマルチモード表示機能付押ボタン構造の第２の実施形態を示す分解図である。
【図３】図３は、本考案のマルチモード表示機能付押ボタン構造の表示模様を示す図である。
【図４】図４は、本考案のマルチモード表示機能付押ボタン構造の第３の実施形態を示す分解図である。
【図５】図５は、本考案のマルチモード表示機能付押ボタン構造の異なる押ボタン領域の表示模様を示す図である。
【図６】図６は、本考案のマルチモード表示機能付押ボタン構造の表示模様変換を示す図である。
【符号の説明】
【００３５】
１              マルチモード表示機能付押ボタン構造
１０            押ボタン層
１０１          ボタン位置
１０１Ａ        第１領域ボタン位置
１０１Ｂ        第１領域ボタン位置
２０、２０’    指示ユニット
２０Ａ          第１の指示ユニット
２０１          発光素子
２０１’        発光素子
２０２          導光素子
２０３          模様層
２０３１        数字模様
２０３１’      音楽再生模様
３０            第２の指示ユニット
３０Ａ          第１指示モジュール
３０Ｂ          第２指示モジュール
３０１Ａ        第１発光素子
３０２Ａ        第１導光素子
３０３Ａ        第１模様層
３０１Ｂ        第２発光素子
３０２Ｂ        第２導光素子
３０３Ｂ        第２模様層
３０３１Ａ      マルチメディア制御模様
３０３１Ｂ      写真制御模様
４０１          偏光ユニット
５０１          ラスタユニット
【図１】
0003143541.tif 000003
【図２】
0003143541.tif 000004
【図３】
0003143541.tif 000005
【図４】
0003143541.tif 000006
【図５】
0003143541.tif 000007
【図６】
0003143541.tif 000008